(57)【要約】      （修正有）【課題】遊技球の無駄球を少なくして、遊技の興趣を高めることができる遊技機を提供する。【解決手段】入賞装置１４は、閉鎖位置にある時、上面１６１に乗った遊技球Ｂが左右方向のいずれか一方に向かって転動し得るように傾斜する開閉部材１６と、入賞口１９に入球した遊技球Ｂを排出するための排出口と、遊技球Ｂの直径より大きい間隔を置いて互いに前後に対向することで、遊技球Ｂが開閉部材１６から落下することを防止する前落下防止帯１７３及び後落下防止帯１７４とを有し、開閉部材１６の上面１６１の前側、後側部に、遊技球Ｂが接触することにより、遊技球Ｂを蛇行しながら転動させるように、上面１６１から突出する複数の前側隆起部１６２、後側隆起部１６３を千鳥状に設け、前側隆起部１６２は、開閉部材１６が開放位置に移動する際、開閉部材１６の上面に乗っている遊技球Ｂを排出口の位置と反対方向へ誘導して入賞口１９に入球させる。【選択図】図４
2016087320.tif 000002
【特許請求の範囲】
【請求項１】
遊技球が流下可能な遊技領域に、遊技球が入球可能な入賞口を有する入賞装置を設けた弾球遊技機において、
前記入賞装置は、
前記入賞口への遊技球の入球を不能とする閉鎖位置及び可能とする開放位置に移動可能で、かつ前記閉鎖位置にあるとき、上面に乗った遊技球が正面視で左右方向のいずれか一方に向かって転動し得るように傾斜する開閉部材と、
前記入賞口に入球した遊技球を前記遊技領域の裏側へ排出するための排出口と、
前記開閉部材の前記上面を転動する遊技球の転動方向に沿って設けられ、少なくとも遊技球の直径より大きい間隔を置いて互いに前後に対向することで、遊技球が前記開閉部材から落下することを防止する前落下防止帯及び後落下防止帯と、を有し、
前記開閉部材の前記上面の前側、後側部に、前記開閉部材の前記上面を転動する遊技球が接触することにより、当該接触した遊技球を前記いずれか一方に向けて蛇行しながら転動させるように、前記上面から突出する複数の前側隆起部、後側隆起部を千鳥状に設け、
前記前側隆起部は、前記開閉部材が前記閉鎖位置から前記開放位置に移動する際、前記開閉部材の前記上面に乗っている遊技球を前記排出口の位置と反対方向へ誘導して前記入賞口に入球させる形状を有することを特徴とする弾球遊技機。
【請求項２】
前記前側隆起部を、平面視において前記開閉部材の前部から中央寄り側に向けて左右方向の幅が漸次小さくなる形状としたことを特徴とする請求項１に記載の弾球遊技機。
【発明の詳細な説明】
【技術分野】
【０００１】
本発明は、弾球遊技機に係わり、特に遊技球が入球可能な入賞口を備えた弾球遊技機に関する。
【背景技術】
【０００２】
従来、弾球遊技機においては、始動入賞口に遊技球が入球したことを契機に、内部抽選が行われ、当該抽選の結果に基づいて、遊技状態が通常の遊技状態（以下、「通常遊技状態」という）から遊技者にとって利益状態の高い特別遊技状態（例えば、大当たり遊技状態）に移行した場合には、大入賞装置の開閉部材を開放位置に移動させて、大入賞口を開放する。そして、大入賞口が開放してから所定時間（例えば、３０秒）経過するか、所定数（例えば、１０個）の遊技球が大入賞口に入球すると、１ラウンド（大入賞口が開放してから閉鎖されるまでの期間）の遊技が終了し、開閉部材を閉鎖位置に移動させて大入賞口を一旦閉鎖する。そして、大入賞口が閉鎖された状態のラウンド間インターバル（例えば、５秒）が経過すると、次のラウンドに進んで大入賞口が再度開放する。これを最大ラウンド（例えば、１５ラウンド）まで継続する。
【０００３】
例えば、特許文献１には、大入賞装置の開閉部材の上面を左右方向のいずれかの方向へ下り傾斜させることにより、大当たり遊技状態でのラウンド間インターバルで大入賞装置の開閉部材が閉鎖位置にあるとき、遊技領域を流下して開閉部材の上面に乗った遊技球が左右方向のいずれかの方向へ円滑に転動させるようにした弾球遊技機が記載されている。
【先行技術文献】
【特許文献】
【０００４】
【特許文献１】特開２０１４−１１３２６２号公報
【発明の概要】
【発明が解決しようとする課題】
【０００５】
しかしながら、上述の弾球遊技機においては、大当たり遊技状態でのラウンド間インターバルで大入賞装置の開閉部材が閉鎖位置にあるとき、遊技領域を流下して開閉部材の上面を転動する遊技球は開閉部材の上面を短時間で通過してしまう。そのため、ラウンド間インターバルが経過後に、開閉部材が閉鎖位置から開放位置に移動した際、開閉部材の上面を転動している遊技球が大入賞口に入球する可能性は低い。従って、大当たり遊技状態で無駄球が多く発生することとなる。
【０００６】
本発明は、かかる課題に鑑みなされたものであって、遊技球の無駄球を少なくして、遊技の興趣を高めることができるようにした弾球遊技機を提供することを目的とする。
【課題を解決するための手段】
【０００７】
本発明によると、上記課題は、次のようにして解決される。
第１の発明は、遊技球が流下可能な遊技領域に、遊技球が入球可能な入賞口を有する入賞装置を設けた弾球遊技機において、前記入賞装置は、前記入賞口への遊技球の入球を不能とする閉鎖位置及び可能とする開放位置に移動可能で、かつ前記閉鎖位置にあるとき、上面に乗った遊技球が正面視で左右方向のいずれか一方に向かって転動し得るように傾斜する開閉部材と、前記入賞口に入球した遊技球を前記遊技領域の裏側へ排出するための排出口と、前記開閉部材の前記上面を転動する遊技球の転動方向に沿って設けられ、少なくとも遊技球の直径より大きい間隔を置いて互いに前後に対向することで、遊技球が前記開閉部材から落下することを防止する前落下防止帯及び後落下防止帯と、を有し、前記開閉部材の前記上面の前側、後側部に、前記開閉部材の前記上面を転動する遊技球が接触することにより、当該接触した遊技球を前記いずれか一方に向けて蛇行しながら転動させるように、前記上面から突出する複数の前側隆起部、後側隆起部を千鳥状に設け、前記前側隆起部は、前記開閉部材が前記閉鎖位置から前記開放位置に移動する際、前記開閉部材の前記上面に乗っている遊技球を前記排出口の位置と反対方向へ誘導して前記入賞口に入球させる形状を有する。
【０００８】
第２の発明は、第１の発明において、前記前側隆起部を、平面視において前記開閉部材の前部から中央寄り側に向けて左右方向の幅が漸次小さくなる形状とする。
【発明の効果】
【０００９】
本発明によると、開閉部材が閉鎖位置にあるとき、開閉部材の上面を転動する遊技球の転動速度を減速させることにより、開閉部材の上面を複数の遊技球が乗っている状態になりやすく、また開閉部材が閉鎖位置から開放位置に移動する際、開閉部材の上面に乗っている遊技球の入賞口への入球確率を高めることができるため、無駄球を少なくして遊技の興趣を高めることができる。
さらに、開閉部材の上面から落下して入賞口に入球する遊技球は、排出口がある方向と反対方向へ誘導されるため、複数の遊技球が同時に入賞口に入球したとしても、複数の遊技球が同時に排出口へ一気に流れ込むことを最小限に抑えて、遊技球の球詰まりを防止することができる。
【図面の簡単な説明】
【００１０】
【図１】本発明に係る弾球遊技機の実施例の斜め前方から見た斜視図である。
【図２】同じく遊技盤の正面図である。
【図３】同じく斜め前方から見た要部の斜視図である。
【図４】要部の開閉部材１６が閉鎖位置の平面図である。
【図５】要部の開閉部材１６が開放位置の平面図である。
【図６】図４におけるＶＩ-ＶＩ線の断面図である。
【図７】図４における変形例の拡大平面図である。
【図８】別実施例における開閉部材１６が開放位置にある状態の要部の平面図である。
【発明を実施するための形態】
【００１１】
以下、本発明を実施するための一実施形態を、添付図面を参照しながら詳述する。
なお、以下の実施形態は、本出願の特許請求の範囲に係る発明を限定するものではなく、実施形態の中で説明される特徴の組み合わせの全てが発明の解決手段に必須であるとは限らない。
【００１２】
なお、以下の説明において弾球遊技機１の各部の左右方向は、その弾球遊技機１の正面に対面する者にとっての左右方向に合わせて説明する。
【００１３】
（弾球遊技機１の全体構造）
図１に示すように、弾球遊技機１は、遊技場の島設備に設置される矩形枠状の外枠２と、外枠２の左枠部に蝶番（図示略）により垂直軸回りに開閉自在に取り付けられる内枠３と、内枠３に装着され、各種要素が組み付けられる遊技盤４（図２参照）と、遊技盤４の前側にあって、内枠３の左枠部に上下の蝶番（図示略）により垂直軸回りに開閉自在に取り付けられ、遊技盤４の前面を閉塞し、遊技者が透視し得る透明な板であるガラス板（または、合成樹脂板）５ａを嵌め込んだガラス枠５と、遊技盤４の後側に設けられ賞球や貸球等の遊技球Ｂを払出可能な払出装置（図示略）と、ガラス枠５の下部に設けられ、払出装置から払い出される遊技球Ｂを貯留するための受皿部６と、ガラス枠５の下部裏側に設けられ受皿部６に貯留されている遊技球Ｂを導入して遊技盤４の前面に形成される遊技領域４ａへ向けて発射するための発射装置（図示略）と、ガラス枠５の前面右下部に設けられ、受皿部６に貯留されている遊技球Ｂを遊技領域４ａへ打ち出す際に操作される発射ハンドル７と、ガラス枠５の上部に設けられ遊技状況に応じた効果音を出力するスピーカ８Ｌ、８Ｒと、ガラス枠５に設けられ遊技状況に応じて点灯、消灯及び点滅する照明演出を行う電飾装置９と、遊技盤４の後側に設置される表示装置１０（図２参照）と、遊技盤４の裏側に設置され、遊技進行及び遊技演出を制御するためのマイクロコンピュータにより構成される各種制御装置（図示略）等とを備える。
なお、制御装置は、弾球遊技機１を統括して制御（大当たり抽選を含む）する主制御基板と、演出に係る制御（演出抽選を含む）を行う副制御基板とに分割しても良い。
【００１４】
表示装置１０は、遊技盤４の後側に設置され、例えば液晶ディスプレイから構成されることで、ガラス板５ａを透して遊技者が視認可能な表示画面１０１（図２参照）に遊技に係わる情報である各種キャラクタや左列、中列、右列の３列の数字等で構成される演出図柄（図示略）を変動、停止表示すると共に、そのときの遊技状態に応じた動画を表示することによって遊技の盛り上げ演出を行う。
【００１５】
（遊技盤４及びそれに関係する構造）
図２に示すように、遊技盤４は、アクリル樹脂等の透明合成樹脂板により正面視ほぼ方形に形成されると共に、前面には、内外のガイドレール１１、１１によって包囲される円形（楕円形を含む）の遊技領域４ａが形成される。受皿部６に貯留された遊技球Ｂは、発射ハンドル７が回転操作されることにより、発射装置から発射されて、内外のガイドレール１１、１１により左斜め上方へ誘導されて、遊技領域４ａの左上部から遊技領域４ａ内に導入されて流下可能となる。
【００１６】
遊技盤４の遊技領域４ａの略中央部には、表示画面１０１に表示される演出図柄を視認し得るように開口する表示窓１２１を有すると共に、表面に各種模様が施された正面視で枠状の装飾枠１２が固定される。
なお、遊技盤４における表示窓１２１以外の一部の領域は、模様、彩色等が施された不透明の装飾板等が貼着されることにより、弾球遊技機１の内部構造が見えないように隠蔽される。
【００１７】
さらに、遊技領域４ａには、遊技領域４ａに打ち込まれた遊技球Ｂの流下方向を変化させる多数の遊技釘４ｂ及び風車４ｃと、表示窓１２１の下方にあって、遊技領域４ａの左領域（装飾枠１２の左側の領域）を流下する遊技球Ｂのうち装飾枠１２の左部に設けられたワープ孔１２２に進入したワープ球（遊技球Ｂ）を導入し、当該ワープ球を左右及び前後方向へ転動させ得るステージ１２３と、ステージ１２３の下方にあって、遊技領域４ａを流下する遊技球Ｂ及びステージ１２３の前側から落下したワープ球が入球可能な始動入賞口（入賞口）１３と、始動入賞口１３の右方にあって、遊技球Ｂの始動入賞口１３への入賞を契機に行われる抽選の結果に基づいて、遊技球Ｂが入球不能な閉鎖状態から入球可能な開放状態に変化可能な大入賞装置（入賞装置）１４と、遊技領域４ａの最下端部にあって、遊技領域４ａに打ち込まれた遊技球Ｂのうち始動入賞口１３、及び大入賞装置１４に入球しなかったアウト球（遊技球Ｂ）を遊技盤４の裏面側に排出するアウト口１５とが設けられる。
【００１８】
始動入賞口１３の内部には、遊技球Ｂの入球を検知するための、検知センサ（図示略）が設けられ、また、大入賞装置１４の内部には遊技球Ｂの入球を検知するための後述の検知センサ２０が設けられ、それぞれ遊技球Ｂの入球を検知すると、所定個数の遊技球Ｂが賞球として払出装置から払い出される。
なお、以下の説明において、始動入賞口１３に設けた検知センサ及び大入賞装置１４に設けた検知センサ２０が遊技球Ｂを検知したことを「入賞」という。
【００１９】
通常遊技状態において、受皿部６に貯留されている遊技球Ｂが発射装置により発射され、遊技領域４ａに打ち込まれた遊技球Ｂが始動入賞口１３に入賞し、これを契機に、制御装置により実行される大当たり抽選の結果、所定の変動パターンに基づいて、表示画面１０１に演出図柄を所定の演出態様で表示する視覚演出を所定時間行った後、演出図柄が特定の組み合わせで確定表示されて、大当たりが生起した場合には、特別遊技状態（以下、「大当たり遊技状態」という）となって大入賞装置１４の後述の開閉部材１６を開放位置に移動させて後述の大入賞口１９を開放する。そして、大入賞口１９が開放してから所定時間（例えば、３０秒）経過するか、所定数（例えば、１０個）の遊技球Ｂが大入賞口１９に入球すると、１ラウンド（大入賞口１９が開放してから閉鎖されるまでの期間）が終了し、開閉部材１６を閉鎖位置に移動させて大入賞口１９を一旦閉鎖する。そして、大入賞口１９が閉鎖された状態にあるラウンド間インターバル（例えば、５秒）が経過すると、次のラウンドに進んで大入賞口１９が再度開放する。これを最大ラウンド（例えば、１５ラウンド）まで継続する。
【００２０】
なお、大当たり遊技状態においては、遊技球Ｂを右打ちとする。
右打ちされた遊技球Ｂは、装飾枠１２の上部に形成された右打ち通路１２４を通過して遊技領域４ａの右領域に導かれ、大入賞装置１４の開閉部材１６が開放位置にあれば、大入賞口１９に入球可能となり、また、ラウンド間インターバルにあって開閉部材１６が閉鎖しているときには、開閉部材１６の上面１６１を転動して遊技領域４ａの中央寄りに誘導される。
【００２１】
これにより、大当たり遊技状態のときには、大入賞口１９に多数の遊技球Ｂが入賞可能となり、払出装置から賞球として大量の遊技球Ｂが短時間に受皿部６に払い出される。また、大入賞装置１４の検知センサ２０により検知された遊技球Ｂは遊技盤４の後側に排出される。
【００２２】
次に、本発明の特徴部分である大入賞装置１４の実施例について説明する。
図２〜６に示すように、大入賞装置１４は、アクリル樹脂等の透明合成樹脂材で形成され、遊技盤４における遊技領域４ａの右側下領域に遊技盤４の盤面に平行に固定される透明ケース１７と、透明ケース１７の上部に設けられる上向き開口の大入賞口１９と、大入賞口１９を開閉可能な開閉部材１６と、当該開閉部材１６を開閉動作させるためのソレノイドを含む駆動装置２１と、大入賞口１９に入球した遊技球Ｂを検知するための検知センサ２０とを有する。
【００２３】
透明ケース１７は、左右方向へ所定の長さを有する前述の上向き開口の大入賞口１９を形成すると共に、大入賞口１９の底部分には、当該大入賞口１９に入球した遊技球Ｂを正面視において左側に転動させるように傾斜する底面部１７１と、底面部１７１の左隅奥部には、底面部１７１を転動した遊技球Ｂを遊技盤４の裏側に排出させるための排出口１７２と、大入賞口１９の前、後側にあって、互いに対向する壁状の前落下防止帯（以下、前壁）１７３、後落下防止帯（以下、後壁）１７４とを有している。
なお、検知センサ２０は、排出口１７２の奥部に設置され、排出口１７２に導入された遊技球Ｂを検出する。なお、透明ケース１７の前、後面は、大入賞口１９に入球した遊技球Ｂが脱落しないように透明カバーによって閉塞されている。
【００２４】
底面部１７１における前後方向の奥行寸法は、遊技球Ｂの直径よりも大として、大入賞口１９に入球した遊技球Ｂが底面部１７１上で球詰まりを起こさないように設定されている。
【００２５】
開閉部材１６は、平面視において左右方向が長寸の矩形状を呈して、駆動装置２１の動力により、図４に示すように、大入賞口１９を上側から閉鎖することで、大入賞口１９への遊技球Ｂの入球を不能とする閉鎖位置と、図５に示すように、閉鎖位置から後方へスライド移動して大入賞口１９を開放することで、大入賞口１９への遊技球Ｂの入球を可能とする開放位置とに、移動することができる。
【００２６】
さらに、開閉部材１６は、閉鎖位置にあるとき、上面１６１に乗った遊技球Ｂが正面視において右側から左側へ向かって転動するように上面１６１が傾斜している。
【００２７】
前壁１７３及び後壁１７４は、閉鎖位置にある開閉部材１６の上面１６１を遊技球Ｂが転動する際、遊技球Ｂが上面１６１から落下しないように、転動方向に沿って略垂直に立てられる。
【００２８】
なお、本実施例においては、閉鎖位置にあるときの開閉部材１６の上面１６１、前壁１７３及び後壁１７４によって、開閉部材１６が閉鎖位置にあるとき、遊技球Ｂを右側から左側から転動させるための遊技球誘導路１８を構成する。
【００２９】
図４に示すように、前壁１７３及び後壁１７４の前後方向の間隔、すなわち遊技球誘導路１８の幅Ｈ１は、少なくとも遊技球Ｂの直径よりも大として、遊技球Ｂが開閉部材１６の上面１６１を転動する際、前後方向へ蛇行しつつ左方へ転動可能な寸法に設定される。
【００３０】
図４、５に示すように、前壁１７３の内側面（後壁１７４に対向する面）１７３ａ及び後壁１７４の内側面（前壁１７３に対向する面）１７４ａには、後壁１７４に向かって突出する複数の前側突出部２２及び前壁１７３に向かって突出する複数の後側突出部２３がそれぞれ千鳥状に設けられる。
【００３１】
前側突出部２２及び後側突出部２３は、図６に示すように、上下方向に延伸する突条で、かつ図４、５に示すように、平面視において各先端部２２１、２３１（遊技球誘導路１８の中央寄り側の部分）が左右方向の幅が先端に向けて漸次小さくなる凸円弧形状を呈している。これにより、遊技球誘導路１８を転動する遊技球Ｂは、前側突出部２２の先端部２２１及び後側突出部２３の先端部２３１に順次接触することにより、図４に矢印で示すように、蛇行しながら左方へ転動する。この場合、遊技球Ｂが前側突出部２２、後側突出部２３に対して接触する部分は、各突出部２２、２３の先端部２２１、２３１、すなわち凸円弧形状の部分のみとすることで、遊技球Ｂの蛇行移動を円滑なものとすることができると共に、遊技球誘導路１８内での球詰まりを防止することができる。
【００３２】
図６に示すように、前側突出部２２の先端部２２１と後側突出部２３の先端部２３１の間隔Ｈ２は、遊技球Ｂの直径よりも僅かに小とする。
これにより、遊技球Ｂは、遊技球誘導路１８を蛇行移動することが可能となる。
【００３３】
図４、５に示すように、前側突出部２２のうち最右部に設けられる前側突出部２２ａは、透明ケース１７の右上部に形成された階段状の案内路１７５から遊技球誘導路１８に進入する遊技球Ｂが接触し得るように平面視において右側の面が左側へ傾斜する傾斜面２２ｂを有している。これにより、案内路１７５から遊技球誘導路１８に進入する遊技球Ｂは、傾斜面２２ｂに接触することにより、後壁１７４の内側面１７４ａに向けて強制的に蛇行移動させられる。
【００３４】
開閉部材１６の上面１６１の前側部には、上方に僅かに突出する複数の前側隆起部１６２が、また同じく後側部には、上方に僅かに突出する複数の後側隆起部１６３がそれぞれ千鳥状に設けられる。
【００３５】
図４に示すように、前側隆起部１６２及び後側隆起部１６３は、開閉部材１６が閉鎖位置にあるとき、左右方向において、それぞれ前側突出部２２及び後側突出部２３に対して略同じ位置にあって、かつ平面視において左右方向の幅が遊技球誘導路１８の中央に向けて漸次小さくなる三角形状を呈すると共に、前側突出部２２及び後側突出部２３の先端部２２１、２３１よりも遊技球誘導路１８の中央寄りに突出するように設けられる。
【００３６】
前側隆起部１６２及び後側隆起部１６３は、前側突出部２２及び後側突出部２３と協働して、遊技球誘導路１８を転動する遊技球Ｂの下側部分が接触することで、遊技球Ｂの蛇行移動を確実にして、遊技球Ｂの移動速度をより減速させることを可能にする。
【００３７】
また、前側隆起部１６２の右縁１６２ａは、平面視において左斜め後方へ傾斜した形状とすることで、遊技球誘導路１８を転動する遊技球Ｂを蛇行させる機能の他に、開閉部材１６が閉鎖位置から開放位置へ移動する際、開閉部材１６の上面１６１に乗っている遊技球Ｂを右方へ若干移動させて大入賞口１９へ入球させる機能をも有している。これにより、開閉部材１６の上面１６１から落下して大入賞口１９に入球した遊技球Ｂは、底面部１７１の右部の上流側に落下した後に、排出口１７２に向かって転動することとなる。この結果、開閉部材１６の上面１６１から複数の遊技球Ｂが同時に大入賞口１９に入球したとしても、複数の遊技球Ｂが同時に排出口１７２に流れ込むことを最小限に抑えて、球詰まりを防止することができる。
【００３８】
次に、大当たりが生起した場合の大入賞装置１４の作用について説明する。
大当たりが生起した場合には、最初のインターバル（例えば、５秒）が経過した時点で開閉部材１６が閉鎖位置から開放位置に移動して大入賞口１９を開放し、１ラウンド目のラウンド遊技が開始される。そして、開放状態にある大入賞口１９に入球した遊技球Ｂを検知センサ２０が１０個検知するか、大入賞口１９が開放してから３０秒経過すると、開閉部材１６が開放位置から閉鎖位置に移動して大入賞口１９を閉鎖することで、１ラウンド目のラウンド遊技は終了する。そして、大入賞口１９が閉鎖してからラウンド間インターバルを経過すると、開閉部材１６が開放位置に移動して、大入賞口１９を再度開放して、２ラウンド目のラウンド遊技が開始される。これを最大１５ラウンド継続する。
【００３９】
この場合、従来技術においては、最初のインターバル及びラウンド間インターバル中に、右打ちされて開閉部材１６の上面１６１に乗った遊技球Ｂは、移動速度が減速されないで遊技球誘導路１８を即座に通過してしまうため、各インターバルの経過直後、開閉部材１６が閉鎖位置から開放位置に移動する際、開閉部材１６の上面１６１に乗っていた遊技球Ｂは大入賞口１９に入球する可能性は低い。
【００４０】
しかし、本実施例のように、大入賞装置１４の前壁１７３に前側突出部２２、また後壁１７４に後側突出部２３をそれぞれ千鳥状に設け、さらに、前側突出部２２、後側突出部２３にそれぞれ対応するように、開閉部材１６の上面１６１に前側隆起部１６２、後側隆起部１６３を千鳥状に設けたことによって、遊技球誘導路１８を転動する遊技球Ｂを蛇行移動させて、遊技球Ｂの移動速度を減速させることができる。これにより、遊技球Ｂが開閉部材１６の上面１６１に乗っている時間を長くすることができるため、各インターバル経過直後、開閉部材１６が閉鎖位置から開放位置に移動する際、開閉部材１６の上面１６１に乗っている遊技球Ｂが大入賞口１９に入球する可能性は飛躍的に向上する。この結果、大当たり遊技中の無駄球が少なくなり、遊技球Ｂを大入賞口１９に早期に所定個数の１０個入球させることができるため、大当たり遊技を早期に終了させることができ、遊技の興趣を向上させることができる。
【００４１】
また、遊技球誘導路１８を転動する遊技球Ｂは、前側突出部２２、後側突出部２３、前側隆起部１６２、及び後側隆起部１６３の配置により、遊技球Ｂの側面が前側突出部２２ａの傾斜面２２ｂ、同じく下面が後側隆起部１６３にそれぞれ接触した後、遊技球Ｂの側面が、後側突出部２３に接触する。その後、遊技球Ｂの下面が、前側隆起部１６２に接触した後、遊技球Ｂの側面が、前側突出部２２に接触するように、順次接触することで、より確実に蛇行移動させられる。
【００４２】
また、開閉部材１６が閉鎖位置から開放位置に移動する際、開閉部材１６の上面１６１に複数の遊技球Ｂが乗っている場合、当該遊技球Ｂは、開閉部材１６の閉鎖位置から開放位置への直線スライド移動に伴って、各前側隆起部１６２の右縁１６２ａに接触することにより、右方へ誘導されつつ大入賞口１９に入球することとなる。これにより、開閉部材１６の上面１６１に複数の遊技球Ｂが乗っている態様で、開閉部材１６が閉鎖位置から開放位置に移動して、大入賞口１９に複数の遊技球Ｂが同時に入球したとしても、大入賞口１９に入球した各遊技球Ｂは、一旦排出口１７２及び検知センサ２０と反対方向へ移動したあとに排出口１７２に向かう移動態様をとるため、複数の遊技球Ｂが同時に排出口１７２へ一気に流れ込むことを最小限に抑えることができ、遊技球Ｂの球詰まりを防止することができる。
【００４３】
以上、本発明の実施形態について説明したが、本発明の趣旨を逸脱しない範囲内で、本実施形態に対して、次のような変形や変更を施すことが可能である。
（１）図７に示すように、開閉部材１６の上面１６１に設けられる複数の前側隆起部１６２０は、平面視において開閉部材１６の上面１６１の前端から中央寄り側（図７において下側から上側）に向けて左右幅が漸次小さくなる形状とし、いずれか他方、つまり遊技球誘導路１８の上流側（図７における右側）を、遊技球Ｂの下側部分が接触する傾斜部１６２０ａを凹湾曲状とする。
（２）開閉部材１６を、前後方向へ移動するスライド式に代えて、後部を水平軸回りに揺動可能に枢支し、略水平状態の閉鎖位置から下方へ略９０度回動することで、開放位置に移動するような揺動タイプとする。
（３）前側突出部２２及び後側突出部２３を、前壁１７３及び後壁１７４に上下方向を長手方向とする突条に代えて、半球体の突出部または三角形状とする。
（４）透明ケース１７を、不透明とする。
（５）開閉部材１６の上面１６１及び底面部１７１を右下がり傾斜とする。この場合は、遊技球Ｂは、遊技球誘導路１８の左側から進入して、右側へ向けて転動することとなる。
（６）開閉部材１６が１ラウンド中の所定時間内に、開放位置から閉鎖位置を複数回往復するものとする。
（７）壁状の前落下防止帯（前壁）１７３及び後落下防止帯（後壁）１７４に代えて、遊技球誘導路１８を転動する遊技球Ｂが、開閉部材１６の上面１６１から落下しないような柵状や、細長いひも状等とする。
（８）前壁１７３及び後壁１７４に設けられた前側突出部２２及び後側突出部２３に代えて、前側突出部２２及び後側突出部２３を、遊技球誘導路１８の上方から垂れ下がるようにして設けたものとする。
（９）図８に示すように、開閉部材１６の上面１６１に設けられる複数の前側隆起部１６２１及び後側隆起部１６３１は、開閉部材１６が閉鎖位置にあるとき、平面視において前側突出部２２及び後側突出部２３にそれぞれ対応するように、突出方向より若干上流側（図８において右側）に配置する。
【符号の説明】
【００４４】
１  弾球遊技機
２  外枠
３  内枠
４  遊技盤
４ａ  遊技領域
４ｂ  遊技釘
４ｃ  風車
５  ガラス枠
５ａ  ガラス板
６  受皿部
７  発射ハンドル
８Ｌ、８Ｒ  スピーカ
９  電飾装置
１０  表示装置
１１  ガイドレール
１２  装飾枠
１３  始動入賞口（入賞口）
１４  大入賞装置（入賞装置）
１５  アウト口
１６  開閉部材
１７  透明ケース
１８  遊技球誘導路
１９  大入賞口（入賞口）
２０  検知センサ
２１  駆動装置（ソレノイド）
２２、２２ａ  前側突出部
２２ｂ  傾斜面
２３  後側突出部
１０１  表示画面
１２１  表示窓
１２２  ワープ孔
１２３  ステージ
１２４  右打ち通路
１６１  上面
１６２、１６２０、１６２１  前側隆起部
１６２ａ  右縁
１６２０ａ  傾斜部
１６３、１６３１  後側隆起部
１７１  底面部
１７２  排出口
１７３  前壁（前落下防止帯）
１７３ａ  内側面
１７４  後壁（後落下防止帯）
１７４ａ  内側面
１７５  案内路
２２１  先端部
２３１  先端部
Ｂ  遊技球
【図１】
2016087320.tif 000003
【図２】
2016087320.tif 000004
【図３】
2016087320.tif 000005
【図４】
2016087320.tif 000006
【図５】
2016087320.tif 000007
【図６】
2016087320.tif 000008
【図７】
2016087320.tif 000009
【図８】
2016087320.tif 000010